(57)【要約】【課題】長時間に亘って着用し続けることが容易な筋肉電気刺激装置を提供する。【解決手段】筋肉電気刺激装置１は、２個以上の電極３１１〜３１３、３２１〜３２３を有し、これらの電極３１１〜３１３、３２１〜３２３を介して筋肉に電気刺激を与えることができるように構成されている。筋肉電気刺激装置１は、電極３１１〜３１３、３２１〜３２３に電力を供給する本体部１０と、本体部１０から外方へ延出し、シート状を呈する延出部１２０とを有している。延出部１２０の一方の面には電極３１１〜３１３、３２１〜３２３が配置されている。本体部１０は、筋肉電気刺激装置１の使用時に人体側を向く肌対面部を有している。肌対面部は、その外表面に、少なくとも一端が肌対面部の外周端縁またはその近傍に配置された複数の溝１１３を有している。延出部１２０は、厚み方向に貫通した孔１８を本体部１０の周囲に有している。【選択図】図２
2016202796.tif 000002
【特許請求の範囲】
【請求項１】
２個以上の電極を有し、該電極を介して筋肉に電気刺激を与える筋肉電気刺激装置であって、
上記電極に電力を供給する本体部と、
該本体部から外方へ延出し、シート状を呈する延出部と、
該延出部の一方の面に配置された上記電極とを有し、
上記本体部は、上記筋肉電気刺激装置の使用時に人体側を向く肌対面部を有しており、
該肌対面部は、その外表面に、少なくとも一端が上記肌対面部の外周端縁またはその近傍に配置された複数の溝を有しており、
上記延出部は、厚み方向に貫通した孔を上記本体部の周囲に有していることを特徴とする筋肉電気刺激装置。
【請求項２】
上記複数の溝は、上記肌対面部の中央から外方に向かって放射状に延設されていることを特徴とする請求項１に記載の筋肉電気刺激装置。
【請求項３】
上記延出部は複数の上記孔を有しており、互いに隣り合う２つの上記孔は、これらを結んでなる仮想直線が上記本体部から外れた位置を通過するように配置されていることを特徴とする請求項１または２に記載の筋肉電気刺激装置。
【請求項４】
上記孔は、上記仮想直線が上記電極から外れた位置を通過するように配置されていることを特徴とする請求項３に記載の筋肉電気刺激装置。
【請求項５】
上記孔は、上記仮想直線に沿って延びていることを特徴とする請求項３または４に記載の筋肉電気刺激装置。
【請求項６】
上記複数の電極は２列に並んで配置されており、上記孔は、上記仮想直線が一方の上記電極列と他方の上記電極列との並び方向に伸びるように配置されていることを特徴とする請求項３〜５のいずれか１項に記載の筋肉電気刺激装置。
【請求項７】
上記筋肉電気刺激装置は、上記仮想直線と平行な方向に互いに並んだ２個の上記電極からなる電極対を３対有していることを特徴とする請求項６に記載の筋肉電気刺激装置。
【請求項８】
上記筋肉電気刺激装置は２対の上記孔を有しており、上記孔は、各々の上記孔の対により形成される２本の上記仮想直線が隣り合う上記電極対の間を通るように配置されていることを特徴とする請求項７に記載の筋肉電気刺激装置。
【発明の詳細な説明】
【技術分野】
【０００１】
本発明は、筋肉電気刺激装置に関する。
【背景技術】
【０００２】
従来、筋繊維に電流を流すと筋収縮を起こすことが広く知られている。特に医療・スポーツの分野にて、筋肉増強を目的とした活用がなされている。具体的には、人体に張り付けた電極を介して通電し、電気信号に基づいて筋肉を緊張及び弛緩させる筋肉刺激方法が用いられている。そして、筋肉を収縮させる電気信号として、特に低周波信号が有効とされている。当該電気信号の周波数が高くなるにつれ、筋肉の収縮が行われなくなるためである。
【０００３】
しかしながら、電気信号を低周波とした場合には、人の皮膚表面での電気抵抗等の影響により痛みが生じやすい。一方、電気信号を高周波とした場合には、上記電気抵抗等の影響を受けにくく、痛みが生じにくいという性質がある。
【０００４】
そして、電気信号を利用して筋肉に刺激を与える筋肉刺激装置として、特許文献１には、電源を内蔵した本体部と、本体部から延設された一対の電極とを備え、一対の電極を人体に張り付けることにより、電気パルスを人体に流して筋刺激を与えるように構成されたものが開示されている。
【０００５】
特許文献１のように、本体部と電極とが一体化された筋肉刺激装置は、衣服の下に着用することができる。そのため、上記装置を着用したまま日常の活動を行うことができる。
【先行技術文献】
【特許文献】
【０００６】
【特許文献１】実用新案登録第３１５８３０３号公報
【発明の概要】
【発明が解決しようとする課題】
【０００７】
しかし、従来の筋肉刺激装置を長時間に亘って着用し続けた場合、装置と肌との間に滞留した汗や湿気等により使用者が不快感を感じるという問題がある。そのため、筋肉刺激装置を着用したまま日常の活動を行う、という態様で従来の装置を使用することは難しく、装置を使用する際に限って筋肉刺激装置が着用されていることが多い。
【０００８】
一方、筋肉刺激装置による筋肉増強の効果は、筋刺激を受ける時間が長いほど高くなる。それ故、筋肉刺激装置の着用時間が限られている現状においては、筋肉増強の効果を高めることには限界がある。筋肉増強の効果をより高めるために、長時間に亘って着用し続けることが容易な筋肉電気刺激装置が望まれている。
【０００９】
本発明は、かかる背景に鑑みてなされたものであり、長時間に亘って着用し続けることが容易な筋肉電気刺激装置を提供しようとするものである。
【課題を解決するための手段】
【００１０】
本発明の一態様は、２個以上の電極を有し、該電極を介して筋肉に電気刺激を与える筋肉電気刺激装置であって、
上記電極に電力を供給する本体部と、
該本体部から外方へ延出し、シート状を呈する延出部と、
該延出部の一方の面に配置された上記電極とを有し、
上記本体部は、上記筋肉電気刺激装置の使用時に人体側を向く肌対面部を有しており、
該肌対面部は、その外表面に、少なくとも一端が上記肌対面部の外周端縁またはその近傍に配置された複数の溝を有しており、
上記延出部は、厚み方向に貫通した孔を上記本体部の周囲に有していることを特徴とする筋肉電気刺激装置にある。
【発明の効果】
【００１１】
上記筋肉電気刺激装置（以下、「ＥＭＳ装置」と省略することがある。）は、上記肌対面部の外表面に、少なくとも一端が上記肌対面部の外周端縁またはその近傍に配置された複数の溝を有している。そのため、上記ＥＭＳ装置を着用している間に上記肌対面部と人体との間に生じる汗や湿気等を、上記溝を介して上記延出部側へ自然に排出することができる。
【００１２】
また、上記延出部は、厚み方向に貫通した孔を上記本体部の周囲に有している。それ故、上記溝から排出された汗や湿気等を、上記孔を介して外部へ自然に排出することができる。
【００１３】
以上の結果、上記ＥＭＳ装置は、従来のＥＭＳ装置に比べて上記肌対面部と人体との間に汗や湿気等が滞留しにくい。それ故、上記ＥＭＳ装置は、長時間着用した際の不快感を軽減でき、容易に長時間に亘って着用し続けることができる。また、上記ＥＭＳ装置は、上記ＥＭＳ装置を着用したまま日常の活動を行う、という態様で使用することができる。
【図面の簡単な説明】
【００１４】
【図１】実施例１における、筋肉電気刺激装置の正面図。
【図２】実施例１における、筋肉電気刺激装置の背面図。
【図３】実施例１における、筋肉電気刺激装置の側面図。
【図４】図２の要部拡大図。
【図５】（ａ）は図１におけるVa-Va線位置断面一部拡大図、（ｂ）は図１におけるVb-Vb線位置断面一部拡大図。
【図６】図５（ａ）における、肌対面部近傍の拡大図。
【図７】実施例１における、筋肉電気刺激装置の使用態様を説明する模式図。
【図８】実施例１における、筋肉電気刺激装置の構成を示すブロック図。
【図９】実施例１における、筋肉電気刺激装置に記憶された基本波形を示す図。
【図１０】実施例１における、筋肉電気刺激装置から出力されるバースト波を示す図。
【図１１】実施例１における、筋肉電気刺激装置から出力される電圧変化を示す図。
【図１２】実施例１における、筋肉電気刺激装置のメイン動作を説明するフロー図。
【図１３】実施例１における、筋肉電気刺激装置の第１の割り込み処理を説明するフロー図。
【図１４】実施例１における、筋肉電気刺激装置の第２の割り込み処理を説明するフロー図。
【図１５】実施例１における、筋肉電気刺激装置の第３の割り込み処理を説明するフロー図。
【図１６】変形例２における、筋肉電気刺激装置の構成を示すブロック図。
【図１７】変形例３における、湾曲しつつ放射状に延設された溝を有する筋肉電気刺激装置の一部拡大背面図。
【図１８】変形例４における、肌対面部の外周端縁に両端が配置された溝を有する筋肉電気刺激装置の一部拡大背面図。
【図１９】変形例５における、略楕円形の肌対面部を有する筋肉電気刺激装置の背面図。
【発明を実施するための形態】
【００１５】
上記ＥＭＳ装置において、上記複数の溝は、上記肌対面部の中央から外方に向かって放射状に延設されていることが好ましい。この場合には、上記溝の数を容易に多くすることができるため、汗等を排出する効果をより向上させることができる。その結果、上記ＥＭＳ装置を装着している間の不快感をより軽減する効果が期待できる。
【００１６】
上記延出部は複数の上記孔を有しており、互いに隣り合う２つの上記孔は、これらを結んでなる仮想直線が上記本体部から外れた位置を通過するように配置されていてもよい。この場合には、上記ＥＭＳ装置を屈曲させる際に、延出部を上記仮想直線に沿って容易に屈曲させることができ、本体部が屈曲の妨げとなりにくい。そのため、上記ＥＭＳ装置を着用部分の動きに容易に追従させることができ、結果として上記ＥＭＳ装置の剥離や脱落等を抑制することができる。上記の構成を有するＥＭＳ装置は、例えば腹部や背部等の、日常の活動中に頻繁に屈曲される部分に好適に使用することができる。
【００１７】
上記孔は、上記仮想直線が上記電極から外れた位置を通過するように配置されていてもよい。この場合には、上記仮想直線に沿った部分が電極よりも先に屈曲しやすいため、屈曲による電極の損傷をより抑制することができる。その結果、上記ＥＭＳ装置をより長期間に亘って使用することができる。
【００１８】
上記孔は、上記仮想直線に沿って延びていてもよい。この場合には、上記ＥＭＳ装置を上記仮想直線に沿ってより容易に屈曲させることができる。上記孔の形状としては、例えば、上記仮想直線に沿って延びた長円状、楕円状、長方形状等を採用することができる。また、上記孔は、これらの形状を適宜変形させた形状としてもよい。
【００１９】
上記複数の電極は２列に並んで配置されており、上記孔は、上記仮想直線が一方の上記電極列と他方の上記電極列との並び方向に伸びるように配置されていてもよい。上記の構成を有するＥＭＳ装置は、腹部や背部に好適に用いることができる。即ち、上記仮想直線が人体の左右方向に沿うようにして上記ＥＭＳ装置を着用することにより、体を前方に曲げる、あるいは後方に反らせるなどの動きに上記ＥＭＳ装置を容易に追従させることができる。その結果、上記ＥＭＳ装置の剥離や脱落等をより抑制することができる。なお、上記の場合において、各々の電極列に含まれる電極は、一直線上に並んでいても良く、列からわずかに突出していても良い。
【００２０】
上記ＥＭＳ装置は、上記仮想直線と平行な方向に互いに並んだ２個の上記電極からなる電極対を３対有していてもよい。人の腹直筋は、通常６つ以上の区画に分画されている。そのため、この場合には、上記６個の電極を、腹直筋のそれぞれの区画に対応させて容易に配置することができる。その結果、腹直筋への電気刺激の付与をより効果的に行うことができる。
【００２１】
上記ＥＭＳ装置は２対の上記孔を有しており、上記孔は、各々の上記孔の対により形成される２本の上記仮想直線が隣り合う上記電極対の間を通るように配置されていてもよい。この場合には、上記装置は、上述した電極の耐久性向上、体の曲げに対する追従性の向上及び電極の位置と腹直筋との適合性の全ての効果を奏することができる。その結果、上記ＥＭＳ装置は、腹部への着用に特に好適に用いることができる。
【００２２】
上記肌対面部は、上記電極に電力を供給するための電池を収容する開口部と、該開口部を閉鎖する蓋とを有しており、上記複数の溝は、上記蓋よりも外側に配置されていてもよい。この場合には、汗や湿気等の排出をより効率よく行うことができる。
【実施例】
【００２３】
（実施例１）
上記筋肉電気刺激装置の実施例を、図１〜図１５を用いて説明する。
本例のＥＭＳ装置１は、図２に示すように、２個以上の電極３１１〜３１３、３２１〜３２３を有し、これらの電極３１１〜３１３、３２１〜３２３を介して筋肉に電気刺激を与えることができるように構成されている。図１〜図３に示すように、ＥＭＳ装置１は、電極３１１〜３１３、３２１〜３２３に電力を供給する本体部１０と、本体部１０から外方へ延出し、シート状を呈する延出部１２０とを有している。延出部１２０の一方の面には電極３１１〜３１３、３２１〜３２３が配置されている。
【００２４】
図３〜図５に示すように、本体部１０は、ＥＭＳ装置１の使用時に人体側を向く肌対面部１０１を有している。図４及び図６に示すように、肌対面部１０１は、その外表面に、少なくとも一端１１３ａが肌対面部１０１の外周端縁またはその近傍に配置された複数の溝１１３を有している。延出部１２０は、厚み方向に貫通した孔１８を本体部１０の周囲に有している。
【００２５】
本例のＥＭＳ装置１は、図７に示すように、人体２の腹部３に取り付けて使用することができるように構成されている。以下のＥＭＳ装置１の構成の説明においては、便宜上、図７に示すようにＥＭＳ装置１を着用した状態を基準として方向を表示する。即ち、人体２の背丈の長手方向を身長方向Ｙといい、身長方向Ｙにおける頭部へ向かう向きを上側Ｙ１、脚部へ向かう向きを下側Ｙ２という。また、人体２の正面に面して、身長方向Ｙに平行でへそ３ａを通る人体２の中心軸２ａから人体２の右手５ａ側への方向を右方向Ｘ１とし、中心軸２ａから人体２の左手５ｂ側への方向を左方向Ｘ２とする。そして、右方向Ｘ１と左方向Ｘ２とを合わせて左右方向Ｘという。なお、これらの表示は便宜上のものであり、ＥＭＳ装置１を実際に着用する際の向きは図７に示した態様に限定されるものではない。
【００２６】
本例のＥＭＳ装置１の要部について、より具体的に説明する。
本例におけるＥＭＳ装置１の肌対面部１０１は、図４及び図５に示すように、本体部１０における第２ケース１１２（後述）及び蓋１５（後述）である。図５に示すように、第２ケース１１２の中央部には、電池２１を収容する電池保持部１４が配置されている。図４及び図５に示すように、蓋１５は、電池保持部１４に着脱可能に取り付けられている。
【００２７】
図４に示すように、複数の溝１１３は、肌対面部１０１における蓋１５よりも外側、即ち、第２ケース１１２の外表面に配置されている。図４及び図６に示すように、本例の溝１１３は、底面視における肌対面部１０１の中央から放射状に伸びている。個々の溝１１３は直線状を呈しており、その一端１１３ａは第２ケース１１２における外周端縁に配置されている。また、溝１１３の他端１１３ｂは、第２ケース１１２における蓋１５側の縁部に配置されている。なお、便宜上、図５における溝１１３の記載は省略した。
【００２８】
図２及び図４に示すように、本体部１０の周囲には、４箇所の孔１８が配置されている。より具体的には、４箇所の孔１８は、本体部１０を取り囲むリード部３１１ａ〜３１３ａ、３２１ａ〜３２３ａの外方に配置されている。図４に示すように、４箇所の孔１８のうち２箇所の孔１８ａは、本体部１０よりも上側Ｙ１に配置されている。４箇所の孔１８のうち残り２箇所の孔１８ｂは、本体部１０よりも下側Ｙ２に配置されている。また、一対の孔１８ａ及び一対の孔１８ｂは、それぞれ、左右方向Ｘに互いに並んで配置されている。
【００２９】
図２及び図４に示すように、上側Ｙ１に配置された一対の孔１８ａは、これらを結んでなる仮想直線Ｌ１が本体部１０の上側Ｙ１を通過すると共に、後述する第１電極対３０１と第２電極対３０２との間を通過するように配置されている。また、下側Ｙ２に配置された一対の孔１８ｂは、これらを結んでなる仮想直線Ｌ２が本体部１０の下側Ｙ２を通過すると共に、後述する第２電極対３０２と第３電極対３０３との間を通過するように配置されている。
【００３０】
また、孔１８ａ及び孔１８ｂは、それぞれ、仮想直線Ｌ１及び仮想直線Ｌ２に沿って延びている。
【００３１】
次に、本例のＥＭＳ装置１の他の部分について説明する。
図１に示すように、ＥＭＳ装置１の中央には、本体部１０が設けられている。図１及び図３に示すように、本体部１０は、略円盤状をなしている。図５（ａ）、図５（ｂ）に示すように、本体部１０は、後述の電源部２０及び制御部４０を収納するケース１１と、ケース１１に取り付けられてＥＭＳ装置１の外殻を形成する外殻形成体１２と、からなる。ケース１１はＡＢＳ製である。外殻形成体１２はシリコン製である。ケース１１は凹状をなす第１ケース１１１と、第１ケース１１１に取り付けられて、第１ケース１１１との間に制御部４０を収納する収納部１３を形成する第２ケース１１２とからなる。第２ケース１１２の外縁に沿って、立設されたリブ１１２ａが、第１ケース１１１の外縁部１１１ａの内側に嵌合して第１ケース１１１に第２ケース１１２が接合されている。
【００３２】
第１ケース１１１には、図１、図５（ｂ）に示すように、後述する操作部５０の一部を形成する第１カンチレバー５１ａ及び第２カンチレバー５１ｂが形成されている。第１カンチレバー５１ａ及び第２カンチレバー５１ｂは、第１ケース１１１の壁の一部をくり抜いて片持ち梁の状態に形成されている。第１カンチレバー５１ａと第２カンチレバー５１ｂとは、身長方向Ｙの上側から下側に向かって、この順で配列している。
【００３３】
図１、図５（ｂ）に示すように、外殻形成体１２が第１ケース１１１における第２ケース１１２と反対側に取り付けられている。そして、図１に示すように、外殻形成体１２は両カンチレバー５１ａ、５１ｂを覆っている。外殻形成体１２において、第１カンチレバー５１ａの直上には記号「＋」が突出形成されており、第２カンチレバー５１ｂの直上には記号「−」が突出形成されており、後述する操作部５０の一部を形成する操作面５４を形成している。上記カンチレバーの配列により、「＋」が身長方向Ｙの上側となるとともに、「−」が身長方向Ｙ下側となり、人間工学的に使用者が操作しやすいものとなっている。
【００３４】
図５（ａ）、図５（ｂ）に示すように、第１ケース１１１と第２ケース１１２との間に形成された収納部１３には、制御部４０（図８参照）を形成する制御基板４１が収納されている。制御基板４１はプリント基板であって、制御基板４１には図示しない配線パターンと電子部品４２等とが設けられて、制御回路が形成されている。また、制御基板４１には、表面実装型の小型のスピーカ４３が電気的に接続されている。電子部品４２及びスピーカ４３の駆動電圧は、いずれも３．０Ｖとなっている。また、図示しないが、制御基板４１には昇圧回路が搭載されており、該昇圧回路により電源部２０を構成する電池２１の出力電圧を昇圧することができる。本例では、電池２１の電力は所定の電圧（例えば、４０Ｖ）に昇圧されて電極３１１〜３１３、３２１〜３２３を含む電極部３０に供給される。
【００３５】
図５（ｂ）に示すように、収納部１３には、操作部５０を形成するスイッチ機構５２も収納されている。スイッチ機構５２はタクトスイッチであって、押下可能なスイッチ部５３を備える。スイッチ機構５２は制御部４０に電気的に接続されている。スイッチ機構５２は第１ケース１１１に形成された第１カンチレバー５１ａ及び第２カンチレバー５１ｂの直下にそれぞれ配設されている。これにより、第１ケース１１１を覆う外殻形成体１２の操作面５４を介して外部から第１カンチレバー５１ａを押圧すると、片持ち梁状態の第１カンチレバー５１ａが撓むことにより、スイッチ機構５２のスイッチ部５３が押下されるようになっている。そして、操作面５４における押圧を解除すると、片持ち梁状態の第１カンチレバー５１ａの復元力により、第１カンチレバー５１ａは元の位置に戻ることとなる。第２カンチレバー５１ｂにおいても同様に押圧及び押圧の解除が行われるように構成されている。
【００３６】
図５（ａ）、図５（ｂ）に示すように、第２ケース１１２には、電源部２０を構成する電池２１を保持する電池保持部１４が形成されている。これにより、本体部１０に電源部２０が内蔵されることとなっている。電池２１は交換可能であって、本例では、電池２１として、小型で薄型のコイン電池（リチウムイオン電池ＣＲ２０３２、公称電圧３．０Ｖ）を採用している。なお、当該電池２１に替えて、公称電圧が３．０〜５．０Ｖの電池を採用することができる。
【００３７】
上記電池２１が保持される電池保持部１４には、電池２１の脱落を防止する蓋１５が着脱可能に取り付けられている。蓋１５は、電池２１よりも一回り大きい円盤状をなしており、その外周には蓋１５と第２ケース１１２との間をシールするОリング１６が嵌装されている。電池２１は、図示しないリードを介して制御部４０に電気的に接続されている。図２に示すように、第２ケース１１２には、蓋１５の外周から放射状に延びる溝１１３が等間隔に複数形成されている。
【００３８】
図５（ａ）、図５（ｂ）に示すように、第２ケース１１２には、リブ１１２ａの外側に突出した鍔部１１２ｂが形成されている。鍔部１１２ｂと第１ケース１１１の外縁部１１１ａとの間には、図示しない防水用両面シールを介して、シート状の基材３３が挟持されている。基材３３はＰＥＴ製である。図２に示すように、基材３３は、ＥＭＳ装置１における外殻形成体１２側の面（表側面）と反対側である面（裏側面３３ａ）の全域に広がっている。
【００３９】
図１〜図３に示すように、本体部１０の周囲には延出部１２０が配置されている。図３及び図５に示すように、延出部１２０は、外殻形成体１２の外周端縁から延出した電極支持部１２１と、鍔部１１２ｂと第１ケース１１１の外縁部１１１ａとの間に挟持された基材３３とから構成されている。図１及び図３に示すように、基材３３における表側面は、電極支持部１２１によって覆われている。また、基材３３と電極支持部１２１は、図示しない３Ｍ社製の粘着テープ及びシリコン接着処理剤によって接合されている。
【００４０】
基材３３の裏側面３３ａには、電極部３０が配置されている。図２及び図８に示すように、電極部３０は右側電極群３１と左側電極群３２を備える。図７に示すように、右側電極群３１は腹部３に取り付けたときに中心線１０ａよりも人体２の右手側Ｘ１に位置するように配置されている。また、左側電極群３２は腹部３に取り付けたときに中心線１０ａよりも人体２の左手側Ｘ２に位置するように配置されている。右側電極群３１には、右側電極３１１〜３１３が含まれており、左側電極群３２には、左側電極３２１〜３２３が含まれている。
【００４１】
各電極３１１〜３１３、３２１〜３２３はいずれも、角部が丸みを帯びた略長方形に形成されている。そして、各電極３１１〜３１３、３２１〜３２３の長手方向（例えば、第３右側電極３１３において符号ｗで示す方向）が、左右方向Ｘに概ね沿っている。本例では、各電極３１１〜３１３、３２１〜３２３はいずれも同一の形状を成している。各電極３１１〜３１３、３２１〜３２３の形状は、例えば、長手方向の長さをｗ、短手方向の長さをｈとしたとき、ｈ／ｗを０．４０〜０．９５、好ましくは０．５０〜０．８０とすることができ、本例では、ｈ／ｗは０．５５としている。
【００４２】
図２に示すように、各電極３１１〜３１３、３２１〜３２３の内側には所定大きさの六角形をなす電極非形成部３４が所定間隔をあけて、複数形成されている。また、各右側電極３１１、３１２、３１３には、制御部４０を介して電源部２０に電気的に接続するためのリード部３１１ａ、３１２ａ、３１３ａが本体部１０から引き出されるようにそれぞれ形成されている。同様に、各左側電極３２１、３２２、３２３には、制御部４０に接続するためのリード部３１ａ、３２２ａ、３２３ａが本体部１０から引き出されるようにそれぞれ形成されている。各リード部３１１ａ〜３１３ａ、３２１ａ〜３２３ａには、シリコンコーティングが施されており、外部と導通できないようになっている。また、各電極３１１〜３１３、３２１〜３２３においてリード部３１１ａ〜３１３ａ、３２１ａ〜３２３ａに繋がる部分とその近傍領域（図２において、符号Ｃで示す斜線領域）にも、シリコンコーティングが施されており、外部と導通できないようになっている。各右側電極３１１〜３１３は互いに並列接続され、各左側電極３２１〜３２３も互いに並列接続されている。
【００４３】
図２に示すように、電極部３０は基材３３の裏側面３３ａに形成されている。本例では、電極部３０は、銀ペーストを含む導電性インクを基材３３の裏側面３３ａに印刷して形成されている。これにより、電極部３０は基材３３と一体的に形成されている。なお、基材３３とは別体に準備した導電性部材を基材３３に埋設することにより、電極部３０を基材３３と一体的に形成することもできる。
【００４４】
右側電極群３１及び左側電極群３２には合わせて４個以上の電極３１１〜３１３、３２１〜３２３が含まれている。本例では、右側電極群３１と左側電極群３２とはそれぞれ同数の電極３１１〜３１３、３２１〜３２３を含んでおり、その数はそれぞれ３個である。すなわち、右側電極群３１には、第１右側電極３１１、第２右側電極３１２及び第３右側電極３１３が備えられている。左側電極群３２には、第１左側電極３２１、第２左側電極３２２及び第３左側電極３２３が備えられている。そして、基材３３において、第１右側電極３１１、第２右側電極３１２及び第３右側電極３１３が形成される部分をそれぞれ、第１右側基部３３１、第２右側基部３３２及び第３右側基部３３３とし、第１左側電極３２１、第２左側電極３２２及び第３左側電極３２３が形成される部分をそれぞれ、第１左側基部３４１、第２左側基部３４２及び第３左側基部３４３とする。
【００４５】
そして、各電極３１１〜３１３、３２１〜３２３には、ゲルパッド３５（積水化成品工業株式会社製「テクノゲル（登録商標）」、型番ＳＲ−ＲＡ２４０／１００）が貼付されている。ゲルパッド３５は導電性を有しており、各電極３１１〜３１３、３２１〜３２３はゲルパッド３５を介して腹部３（図７参照）への通電が可能となっている。また、ゲルパッド３５は高い粘着性を有しており、ゲルパッド３５を介して、ＥＭＳ装置１が腹部３に取り付けられるようになっている。
【００４６】
ゲルパッド３５は、図２に示すように、各電極３１１〜３１３、３２１〜３２３よりも一回り大きい形状を有しており、各電極３１１〜３１３、３２１〜３２３を個別に覆っている。ゲルパッド３５は交換可能となっているため、ゲルパッド３５が、使用に伴って粘着力が低下したり、破損したり、汚れが目立つようになったりした場合などには、適宜交換することができる。また、所定期間（例えば、１ヶ月、２か月など）ごとに使用済みのゲルパッド３５を新品のものと交換することとしてもよい。
【００４７】
図２に示すように、第１右側電極３１１、第２右側電極３１２及び第３右側電極３１３はいずれも、人体２（図７参照）の身長方向Ｙに平行で本体部１０の中心を通る中心線１０ａよりも人体２の右手側Ｘ１（第１領域Ｓ１）に位置するように、本体部１０から延出している。そして、第１右側電極３１１、第２右側電極３１２及び第３右側電極３１３は、身長方向Ｙに沿って上側から下側に向かってこの順で配列している。
【００４８】
一方、第１左側電極３２１、第２左側電極３２２及び第３左側電極３２３は、中心線１０ａよりも人体２の左手側Ｘ２（第２領域Ｓ２）に位置するように、本体部１０から延出している。そして、第１左側電極３２１、第２左側電極３２２及び第３左側電極３２３も、身長方向Ｙに沿って上側から下側に向かってこの順で配列している。
【００４９】
そして、図２に示すように、右側電極群３１と左側電極群３２とが、腹部３（図７参照）に取り付けたときに、本体部１０の左右方向Ｘにおける中心線１０ａを基準として線対称に位置するように構成されている。すなわち、腹部３に取り付けたときに中心線１０ａを基準として、第１右側電極３１１と第１左側電極３２１とが線対称に位置し、第２右側電極３１２と第２左側電極３２２とが線対称に位置し、第３右側電極３１３と第３左側電極３２３とが線対称に位置するように構成されている。
【００５０】
また、図２に示すように、右側電極群３１及び左側電極群３２は、腹部３（図７参照）に取り付けたときに、身長方向Ｙにおいて、右側電極群３１及び上記左側電極群３２のそれぞれにおける最も上側Ｙ１に位置する第１右側電極３１１と第１左側電極３２１とからなる一対の第１電極対３０１と、最も下側Ｙ２に位置する第３右側電極３１３と第３左側電極３２３とからなる一対の第３電極対３０３と、第１電極対３０１と第３電極対３０３との間に位置する一対の第２右側電極３１２と第２左側電極３２２とからなる第２電極対３０２と、が形成されるように構成されている。これにより、第１電極対３０１、第２電極対３０２及び第３電極対３０３は、身長方向Ｙに沿って上側Ｙ１から下側Ｙ２に向かってこの順で配列している。
【００５１】
そして、第２電極対３０２は、第１電極対３０１及び第３電極対３０３よりも左右方向Ｘの外側に突出している。すなわち、腹部３に取り付けたときに、第２電極対３０２を構成する第２右側電極３１２は、第１電極対３０１を構成する第１右側電極３１１及び第３電極対３０３を構成する第３右側電極３１３よりも右方向Ｘ１にわずかに突出している。同様に、第２電極対３０２を構成する第２左側電極３２２は、第１電極対３０１を構成する第１左側電極３２１及び第３電極対３０３を構成する第３左側電極３２３よりも左方向Ｘ２にわずかに突出している。
【００５２】
また、図２に示すように、第１電極対３０１は延出方向に向かうほど上側に位置するようにＶ字状に傾斜している。そして、上述の如く、各電極３１１〜３１３、３２１〜３２３は同一の大きさとなっている。一方、電極部３０の基材３３における各右側基部３３１〜３３３は各右側電極３１１〜３１３よりも大きくなっており、各左側基部３４１〜３４３は、各左側電極３２１〜３２３よりも大きくなっている。
【００５３】
また、図２に示すように、第１電極対３０１は、第３電極対３０３よりも左右方向Ｘの外側、かつ、第２電極対３０２よりも左右方向Ｘの内側となる位置に配置されている。すなわち、腹部３に取り付けたときに、第１電極対３０１を構成する第１右側電極３１１は、第３電極対３０３を構成する第３右側電極３１３よりも右方向Ｘ１にわずかに突出している。同様に、第１電極対３０１を構成する第１左側電極３２１は、第３電極対３０３を構成する第３左側電極３２３よりも左方向Ｘ２にわずかに突出している。
【００５４】
そして、図２に示すように、第１右側基部３３１の下方外縁部３３１ａは右方向Ｘ１に膨出しており、第１左側基部３４１の下方外縁部３４１ａは左方向Ｘ２に膨出している。
また、第２右側基部３３２の中央外縁部３３２ａは右方向Ｘ１に若干膨出しており、第２左側基部３４２の中央外縁部３４２ａは左方向Ｘ２に若干膨出している。
さらに、第３右側基部３３３の上方外縁部３３３ａは右方向Ｘ１に膨出しており、第３右側基部３３３の下方外縁部３３３ｂは下方向（Ｙ方向における下側方向）に膨出している。また、第３左側基部３４３の上方外縁部３４３ａは左方向Ｘ２に膨出しており、第３左側基部３４３の下方外縁部３４３ｂは下方向に膨出している。
【００５５】
基材３３における各基部３３１〜３３３、３４１〜３４３を上述のようにすることで、図１及び図７に示すように、ＥＭＳ装置１を正面側から見たとき、ＥＭＳ装置１が腹部３における腹直筋４を左右方向に包み込むように配される。また、電極配置も腹直筋４の区画４ａに併せた配置となる事で、各筋肉を効率よく刺激することが期待できる。さらに、かかる形状であると認識されることにより、腹部３が引き締まって腹筋が割れたイメージを使用者に想起させることができる。これにより、ＥＭＳ装置１を使用することにより、腹筋が割れて引き締まった腹部３とするためのイメージトレーニングの効果が得られる。（イメージトレーニングによる運動効果の向上は一般によく知られている。）
【００５６】
また、図２に示すように、右側電極群３１及び左側電極群３２において互いに隣り合う電極３１１〜３１３、３２１〜３２３の間には、本体部１０に向かって切り込まれた切り込み部１７が形成されている。本例では、第１右側電極３１１と第２右側電極３１２との間、第２右側電極３１２と第３右側電極３１３との間、第３右側電極３１３と第３左側電極３２３との間、第３左側電極３２３と第２左側電極３２２との間、第２左側電極３２２と第１左側電極３２１との間、及び第１左側電極３２１と第１右側電極３１１との間、の合計６カ所に切り込み部１７が形成されている。さらに、本体部１０の周囲には、孔１８が４カ所形成されている。
【００５７】
次に、本例のＥＭＳ装置１の構成、及び、電気刺激の態様について、図を用いて説明する。
【００５８】
本例のＥＭＳ装置１は、以下の態様により電気刺激を筋肉に与えるように構成されている。図９及び図１０に示すように、本例の態様では、パルス群出力期間Ｐとパルス群出力中断期間Ｒ１〜Ｒ５からなるバースト波（Ｂ１〜Ｂ５）が電極３１１〜３１３、３２１〜３２３から繰り返し出力される。図９に示すように、パルス群出力期間Ｐには、矩形波パルス信号Ｓ１〜Ｓ５が、出力停止時間Ｎ１〜Ｎ５を挟んで複数出力される。パルス群出力中断期間Ｒ１〜Ｒ５には、出力停止時間Ｎ１〜Ｎ５よりも長くパルス信号の出力が停止される。
【００５９】
図８に示すように、ＥＭＳ装置１は、本体部１０の内部に、電源部２０、制御部４０、操作部５０に加え、肌検知部４０２及び電池電圧検出部４０６を備える。
【００６０】
肌検知部４０２は、電極部３０が肌に接しているか否かを検知する。詳細には、肌検知部４０２は、電極部３０に電気的に接続され、右側電極群３１と左側電極群３２との間の抵抗値を検出する。そして、検出した値と予め設定された閾値とを比較して、検出した値が閾値よりも小さいときに、右側電極群３１及び左側電極群３２に肌が接していることを検知する。
【００６１】
電池電圧検出部４０６は、電源部２０における電池２１の電圧を検知し、検知された電源部２０における電池２１の電池電圧Ｖが所定の閾値Ｖｍよりも低いか否か判定する。本例では電池２１の公称電圧Ｖは３．０Ｖであって、閾値Ｖｍは２．１Ｖである。
【００６２】
図８に示すように、電源部２０には、電池２１が備えられる。また、制御部４０には、出力調整部４０１、電源オフカウンタ４０３、タイマー４０４、出力モード切替部４０５及び出力モード記憶部４０５ａが備えられる。出力調整部４０１は電極部３０における出力電圧（出力レベル）を調整する。本例では、最大出力電圧は４０Ｖであり、出力レベルが１下がるごとに、１００％出力電圧が２．０Ｖ低下するように設定されている。出力レベルはレベル１からレベル１５までの１５段階となっている。
【００６３】
電源オフカウンタ４０３は、カウント開始信号を受けてからの経過時間を計測する。タイマー４０４は、出力開始信号を受けてからの経過時間を計測する。出力モード切替部４０５は、電極部３０における出力モードを第１出力モード、第２出力モード及び第３出力モードのいずれかに切り替えるものであって、出力されるバースト波の周波数を設定する周波数設定部を構成している。出力モード記憶部４０５ａには、第１出力モード、第２出力モード及び第３出力モードが記憶されている。第１出力モード、第２出力モード及び第３出力モードには、パルス群出力中断期間Ｒ１〜Ｒ５を有するバースト波パターンとしての基本波形が予め記憶されており、出力モード記憶部４０５ａがバースト波パターン記憶部を構成している。なお、バースト波パターン記憶部４０５ａは、プログラム上のバースト波の波形の定義記載も含むものとする。
【００６４】
次に、電極部３０における出力モードについて、説明する。
まず、継続時間記憶部としての出力モード記憶部４０５ａには、図９に示す５つのバースト波パターン（基本波形Ｂ１〜Ｂ５）が記憶されている。各基本波形Ｂ１〜Ｂ５は、パルス群出力期間Ｐとパルス群出力中断期間Ｒ１〜Ｒ５とからなる。すなわち、各基本波形Ｂ１〜Ｂ５は、共通のパルス群出力期間Ｐを有しているとともに、パルス群出力中断期間Ｒ１〜Ｒ５の長さが異なっている。
【００６５】
パルス群出力期間Ｐは、矩形波パルス信号Ｓ１〜Ｓ５が出力停止時間Ｎ１〜Ｎ５を挟んで複数出力される。本例では、５個の矩形波パルス信号Ｓ１〜Ｓ５が出力される。すなわち、パルス群出力期間Ｐは、第１の矩形波パルス信号Ｓ１、第１の出力停止時間Ｎ１、第２の矩形波パルス信号Ｓ２、第２の出力停止時間Ｎ２、第３の矩形波パルス信号Ｓ３、第３の出力停止時間Ｎ３、第４の矩形波パルス信号Ｓ４、第４の出力停止時間Ｎ４、第５の矩形波パルス信号Ｓ５、第５の出力停止時間Ｎ５の順に実行される。
【００６６】
そして、本例では、各矩形波パルス信号Ｓ１〜Ｓ５のパルス幅、パルス電圧は一定であり、出力停止時間Ｎ１〜Ｎ５の継続時間も一定である。本例では、各矩形波パルス信号Ｓ１〜Ｓ５のパルス幅が１００μｓであって、パルス電圧は１００％出力時に±４０Ｖであり、出力停止時間Ｎ１〜Ｎ５の継続時間は１００μｓである。そのため、パルス群出力期間Ｐの継続時間は１ｍｓとなっている。そして、各矩形波パルス信号Ｓ１〜Ｓ５における電圧極性は出力順に交互に変更されている。すなわち、第１の矩形波パルス信号Ｓ１、第３の矩形波パルス信号Ｓ３及び第５の矩形波パルス信号Ｓ５が正の極性を有し、第２の矩形波パルス信号Ｓ２及び第４の矩形波パルス信号Ｓ４が負の極性を有している。
【００６７】
上述のように、パルス群出力期間Ｐにおける各矩形波パルス信号Ｓ１〜Ｓ５のパルス幅及び各出力停止時間Ｎ１〜Ｎ５の継続時間はそれぞれ１００μｓである。そのため、パルス群出力期間Ｐにおける各矩形波パルス信号Ｓ１〜Ｓ５のパルス周期は２００μｓであって、十分短い。そのため、使用者はこれらの矩形波パルス信号Ｓ１〜Ｓ５を一つの電気刺激として認識することとなる。なお、パルス群出力期間Ｐにおける各矩形波パルス信号Ｓ１〜Ｓ５の周波数は５，０００Ｈｚである。
【００６８】
各基本波形Ｂ１〜Ｂ５において、パルス群出力中断期間Ｒ１〜Ｒ５はパルス信号を出力しない。そして、パルス群出力中断期間Ｒ１〜Ｒ５の継続時間は、パルス群出力期間Ｐの継続時間よりも長い。本例では、図９に示すように、パルス群出力期間Ｐの継続時間は、１ｍｓであり、パルス群出力中断期間Ｒ１〜Ｒ５の継続時間は、それぞれ、４９９ｍｓ、２４９ｍｓ、１２４ｍｓ、６１．５ｍｓ、４９ｍｓである。このように、パルス群出力中断期間Ｒ１〜Ｒ５は、パルス群出力期間Ｐにおける出力停止時間に比べて、非常に長い継続時間を有するものである。
【００６９】
したがって、図９に示すように、第１バースト波（２Ｈｚ）は、１ｍｓのパルス群出力期間Ｐと、４９９ｍｓのパルス群出力中断期間Ｒ１とからなる。すなわち、第１バースト波（２Ｈｚ）は、パルス群出力期間Ｐが２Ｈｚの周波数で出力されるものである。
また、第２バースト波（４Ｈｚ）は、１ｍｓのパルス群出力期間Ｐと、２４９ｍｓのパルス群出力中断期間Ｒ２とからなる。すなわち、第２バースト波（４Ｈｚ）は、パルス群出力期間Ｐが４Ｈｚの周波数で出力されるものである。
また、第３バースト波（８Ｈｚ）は、１ｍｓのパルス群出力期間Ｐと、１２４ｍｓのパルス群出力中断期間Ｒ３とからなる。すなわち、第３バースト波（８Ｈｚ）は、パルス群出力期間Ｐが８Ｈｚの周波数で出力されるものである。
また、第４バースト波（１６Ｈｚ）は、１ｍｓのパルス群出力期間Ｐと、６１．５ｍｓのパルス群出力中断期間Ｒ４とからなる。すなわち、第４バースト波（１６Ｈｚ）は、パルス群出力期間Ｐが１６Ｈｚの周波数で出力されるものである。
また、第５バースト波（２０Ｈｚ）は、１ｍｓのパルス群出力期間Ｐと、４９ｍｓのパルス群出力中断期間Ｒ５とからなる。すなわち、第５バースト波（２０Ｈｚ）は、パルス群出力期間Ｐが２０Ｈｚの周波数で出力されるものである。
【００７０】
そして、基本波形Ｂ１〜Ｂ５を所定の組み合わせで所定期間繰り返し出力することにより、図１０（ａ）〜（ｅ）に示すように、所定のバースト波が出力されることとなる。そして、上述のように、使用者は、パルス群出力期間Ｐにおける複数の矩形波パルス信号Ｓ１〜Ｓ５を一つの電気刺激と認識することから、図１０（ａ）に示すように、基本波形Ｂ１を繰り返す第１バースト波では、周波数２Ｈｚの電気刺激が出力されることとなる。同様に、基本波形Ｂ２を繰り返す第２バースト波では、周波数４Ｈｚの電気刺激が出力され、基本波形Ｂ３を繰り返す第３バースト波では、周波数８Ｈｚの電気刺激が出力され、基本波形Ｂ４を繰り返す第４バースト波では、周波数１６Ｈｚの電気刺激が出力され、基本波形Ｂ５を繰り返す第５バースト波では、周波数２０Ｈｚの電気刺激が出力されることとなる。
【００７１】
そして、継続時間記憶部としての出力モード記憶部４０５ａに記憶された第１〜第３出力モードは、出力モード記憶部４０５ａに記憶された基本波形Ｂ１〜Ｂ５を適宜選択することにより、所定の周波数のバースト波を組み合わせて構成される。まず、表１に示すように、第１出力モードは、下記の第１ステータス〜第４ステータスを順に行うように構成されたウォームアップモードである。各ステータスの条件は以下のとおりである。
（１）第１ステータスでは、第１バースト波（２Ｈｚ）で２０秒間、１００％の出力を行う。なお、図１１に示すように、第１ステータスにおける開始５秒間は出力電圧を０％から徐々に大きくして１００％にする、いわゆるソフトスタートを行う。
（２）第２ステータスでは、第２バースト波（４Ｈｚ）で２０秒間、１００％の出力を行う。
（３）第３ステータスでは、第３バースト波（８Ｈｚ）で１０秒間、１００％の出力を行う。
（４）第４ステータスでは、第４バースト波（１６Ｈｚ）で１０秒間、１００％の出力を行う。
そして、第１出力モードの継続期間（すなわち、第１ステータス〜第４ステータスの継続期間の合計）は１分間である。かかる第１出力モードでは、バースト波の周波数が２Ｈｚから１６Ｈｚへ段階的に高くなるように構成されているため、第１出力モードをウォームアップモードと呼んでいる。
【表１】
2016202796.tif 000003
【００７２】
かかるウォームアップモードとしての第１出力モードでは、バースト波の周波数が２Ｈｚから１６Ｈｚへ段階的に高くなるのに伴って筋肉の運動頻度が高まり、当該筋肉や体が次第に温まる。これにより、急激な血圧上昇、当該筋肉における一時的な酸素不足などが生じることが防止される。また、当該筋肉が徐々に温まることにより、血流量が増して当該筋肉の柔軟性が高まる。これにより、後続のトレーニングモードにおいて、筋肉の刺激による効果が一層得られやすくなる。また、トレーニングモードに先行して当該ウォームアップモードを行うことによって、使用者が刺激に適度に慣れることができるため、体感が向上する。
【００７３】
次に、表２に示すように、第２出力モードは、下記の第１ステータス〜第４ステータスを順に行うように構成されたトレーニングモードである。各ステータスの条件は以下のとおりである。
（１）第１ステータスでは、第５バースト波（２０Ｈｚ）で３秒間、１００％の出力を行った後、出力なしを２秒間維持する。これを５分間繰り返す。
（２）第２ステータスでは、第５バースト波（２０Ｈｚ）で３秒間、１００％の出力を行った後、第２バースト波（４Ｈｚ）で２秒間、１００％の出力を行う。これを５分間繰り返す。
（３）第３ステータスでは、第５バースト波（２０Ｈｚ）で４秒間、１００％の出力を行った後、第２バースト波（４Ｈｚ）で２秒間、１００％の出力を行う。これを５分間繰り返す。
（４）第４ステータスでは、第５バースト波（２０Ｈｚ）で５秒間、１００％の出力を行った後、第２バースト波（４Ｈｚ）で２秒間、１００％の出力を行う。これを５分間繰り返す。
なお、図１１に示すように、第２出力モードでは第１ステータス〜第４ステータスにおけるそれぞれの開始５秒間は、出力電圧を０％から徐々に大きくして１００％にする、いわゆるソフトスタートを行う。
そして、第２出力モードの継続期間は２０分間である。かかる第２出力モードでは、周波数２０Ｈｚの第５バースト波を所定期間維持した後、出力なし又は周波数４Ｈｚの第２バースト波を所定期間維持するため、筋肉を効果的に刺激するのに優れている。そのため、第２出力モードをトレーニングモードと呼んでいる。
【表２】
2016202796.tif 000004
【００７４】
次に、表３に示すように、第３出力モードは、下記の第１ステータス〜第４ステータスを順に行うように構成されたクールダウンモードである。各ステータスの条件は以下のとおりである。
（１）第１ステータスでは、第４バースト波（１６Ｈｚ）で１０秒間、出力を行う。
（２）第２ステータスでは、第３バースト波（８Ｈｚ）で１０秒間、出力を行う。
（３）第３ステータスでは、第２バースト波（４Ｈｚ）で２０秒間、出力を行う。
（４）第４ステータスでは、第１バースト波（２Ｈｚ）で２０秒間、出力を行う。
なお、第３出力モードでは、各ステータスにおける出力は、図１１に示すように、第１ステータス開始時には１００％とし、第４ステータス終了時に５０％となるように徐々に減少させる。
そして、第３出力モードの継続期間は１分間である。かかる第３出力モードでは、バースト波の周波数が１６Ｈｚから２Ｈｚへ段階的に低くなるように構成されているため、第３出力モードをクールダウンモードと呼んでいる。
【表３】
2016202796.tif 000005
【００７５】
かかるクールダウンモードとしての第３出力モードでは、バースト波の周波数が１６Ｈｚから２Ｈｚへ段階的に低くなるのに伴って筋肉の運動頻度が低下することにより、当該温まっていた筋肉や体が徐々に冷まされることとなる。そして、先行するトレーニングモードにおいて筋肉に生じた疲労物質を当該筋肉から積極的に排出して、当該筋肉に疲労物質が過剰に残留することが防止される。
【００７６】
以上のように、第１出力モード（ウォームアップモード）、第２出力モード（トレーニングモード）及び第３出力モード（クールダウンモード）を連続して行った場合の合計時間は２２分間となる。なお、本例では、図１１に示すように、第１出力モードと第２出力モードとの間、及び第２出力モードにおける各ステータスの間の合計４カ所に、それぞれ２秒間の休止期間が設けられている。そのため、当該休止期間を含めた全行程の合計時間は２２分８秒間となっている。
【００７７】
次に、本例のＥＭＳ装置１の動作フローについて、以下に詳述する。
図１２に示すメイン動作フローＳ１００について説明する。メイン動作フローＳ１００では、まず、操作面５４の「＋」を２秒間押下する（Ｓ１０１）。これにより、ＥＭＳ装置１の電源がオンとなって、ＥＭＳ装置１が起動されるとともに、起動されたことを通知する通知音（「ピー」）が、スピーカ４３により発せられる（Ｓ１０２）。その後、ＥＭＳ装置１は、出力待機状態となり出力レベルが０にされるとともに、操作部５０の入力が無効化される（Ｓ１０３）
【００７８】
次に、肌検知部４０２により、電極部３０に肌が接しているか否かを検知する（Ｓ１０４）。肌検知部４０２によって、電極部３０に肌が接していることが検知された場合（Ｓ１０４のＹｅｓ）は、操作部５０を有効化する（Ｓ１０５）。そして、操作部５０により出力レベルを入力する（Ｓ１０６）。出力レベルの入力は、操作部５０の操作面５４から行う。操作部５０の操作面５４の「＋」を押すごとに出力レベルが１レベル大きくなり、操作面５４の「−」を押すごとに出力レベルが１レベル小さくなる。出力レベルが設定されると、制御部４０からタイマー４０４へ出力開始信号を送り、タイマー４０４において計測が開始される（Ｓ１０７）。また、出力レベルの操作は使用時間中（操作部５０の有効化後から電源オフまで）のいつでも可能である。
【００７９】
タイマー４０４の計測開始時（経過時間０）から経過時間１分までの間は、電極部３０における出力モードを第１出力モード（ウォームアップモード）とする（Ｓ１０８）。経過時間１分に達すると、周波数設定部としての出力モード切替部４０５により、電極部３０における出力モードを第２出力モード（トレーニングモード）に切り替え、経過時間２１分までの２０分間維持する（Ｓ１０９）。経過時間２１分に達すると、周波数設定部としての出力モード切替部４０５により、電極部３０における出力モードを第３出力モード（クールダウンモード）に切り替え、経過時間２２分までの１分間維持する（Ｓ１１０）。経過時間２２分に達すると、タイマー４０４における計測を終了する（Ｓ１１１）。そして、ＥＭＳ装置１を停止する（Ｓ１１２）。このように、Ｓ１０８からＳ１１１が行われることにより、第１出力モード（ウォームアップモード）、第２出力モード（トレーニングモード）及び第３出力モード（クールダウンモード）が１セット行われて、終了することとなる。
【００８０】
一方、肌検知部４０２によって、電極部３０に肌が接していないと判定された場合（Ｓ１０４のＮｏ）は、その旨を通知する通知音（「ピ、ピ、ピ」）が、スピーカ４３により発せられる（Ｓ１１３）。そして、制御部４０から電源オフカウンタ４０３へカウント開始信号を送り、電源オフカウンタ４０３において経過時間の計測をスタートする（Ｓ１１４）。
【００８１】
次に肌検知部４０２により、電極部３０に肌が接しているか否かを検知する（Ｓ１１５）。肌検知部４０２によって、電極部３０に肌が接していることが検知された場合は、上述のステップＳ１０３に戻って、出力待機状態となる（Ｓ１１５のＹｅｓ）。一方、肌検知部４０２によって、電極部３０に肌が接していないと判定された場合（Ｓ１１５のＮｏ）は、電源オフカウンタ４０３における経過時間が２分を超えたか否かを判定する（Ｓ１１６）。電源オフカウンタ４０３における経過時間が２分を超えていないと判定された場合（Ｓ１１６のＮｏ）は、再度Ｓ１１５に戻り、肌検知部４０２により、電極部３０に肌が接しているか否かを検知する。一方、Ｓ１１６において、電源オフカウンタ４０３における経過時間が２分を超えていると判定された場合（Ｓ１１６のＹｅｓ）は、ＥＭＳ装置１の電源がオフとなる（Ｓ１１７）。
【００８２】
次に、上述のメイン動作フローＳ１００におけるＳ１０５〜Ｓ１１０の間に割り込んで優先処理される割り込み処理について説明する。図１３に示すように、第１の割り込み処理として、肌検出割り込み処理Ｓ２００が行われる。肌検出割り込み処理Ｓ２００は、使用途中で電極が人体から離脱した場合に、自動的に電源をオフにする機能として用いられる。肌検出割り込み処理Ｓ２００では、まず、肌検知部４０２により、電極部３０に肌が接しているか否かを検知する（Ｓ２０１）。肌検知部４０２によって、電極部３０に肌が接していることが検知された場合（Ｓ２０１のＹｅｓ）は、メイン動作フローＳ１００における元のフローへ戻る。一方、肌検知部４０２によって、電極部３０に肌が接していないと判定された場合（Ｓ２０１のＮｏ）は、その旨を通知する通知音（「ピ、ピ、ピ」）が、スピーカ４３により発せられる（Ｓ２０２）。そして、制御部４０から電源オフカウンタ４０３へカウント開始信号を送り、電源オフカウンタ４０３が経過時間の計測をスタートする（Ｓ２０３）。
【００８３】
次に肌検知部４０２により、電極部３０に肌が接しているか否かを検知する（Ｓ２０４）。肌検知部４０２によって、電極部３０に肌が接していることが検知された場合は、メイン動作フローＳ１００のステップＳ１０３に戻る（Ｓ２０４のＹｅｓ）。一方、肌検知部４０２によって、電極部３０に肌が接していないと判定された場合（Ｓ２０４のＮｏ）は、電源オフカウンタ４０３における経過時間が２分を超えたか否かを判定する（Ｓ２０５）。電源オフカウンタ４０３における経過時間が２分を超えていないと判定された場合（Ｓ２０５のＮｏ）は、再度Ｓ２０４に戻り、肌検知部４０２により、電極部３０に肌が接しているか否かを検知する。一方、Ｓ２０５において、電源オフカウンタ４０３における経過時間が２分を超えていると判定された場合（Ｓ２０５のＹｅｓ）は、ＥＭＳ装置１の電源がオフとなる（Ｓ２０６）。
【００８４】
次に、図１４に示すように、上述のメイン動作フローＳ１００におけるＳ１０５〜Ｓ１１０の間に割り込んで優先処理される第２の割り込み処理である電池電圧低下処理Ｓ３００について説明する。電池電圧低下処理Ｓ３００は、電池２１の電池電圧が低下した場合に自動で電源をオフにする機能である。これにより、使用者は電池交換の対応が必要な場合等にこれを容易に知ることができる。まず、電池電圧検出部４０６により、検知された電源部２０における電池２１の電池電圧Ｖが所定の閾値Ｖｍよりも低いか否か判定する（Ｓ３０１）。電池電圧Ｖが所定の閾値Ｖｍよりも低くないと判定された場合（Ｓ３０１のＮｏ）は、メイン動作フローＳ１００における元のフローへ戻る。一方、電池電圧Ｖが所定の閾値Ｖｍよりも低いと判定された場合は、その旨を通知する通知音（「ピ、ピ、ピ」）が、スピーカ４３により発せられる（Ｓ３０２）。そして、制御部４０から電源オフカウンタ４０３へカウント開始信号を送り、電源オフカウンタ４０３において経過時間の計測をスタートする（Ｓ３０３）。
【００８５】
次に、電源オフカウンタ４０３における経過時間が２分を超えたか否かを判定する（Ｓ３０４）。電源オフカウンタ４０３における経過時間が２分を超えていないと判定された場合（Ｓ３０４のＮｏ）は、再度Ｓ３０４に戻る。電源オフカウンタ４０３における経過時間が２分を超えていると判定された場合（Ｓ３０４のＹｅｓ）は、ＥＭＳ装置１の電源がオフとなる（Ｓ３０５）。
【００８６】
次に、図１５に示すように、上述のメイン動作フローＳ１００におけるＳ１０５〜Ｓ１１０の間に割り込んで優先処理される第３の割り込み処理である中断処理Ｓ４００について説明する。まず、制御部４０により、操作部５０における操作面５４の「−」ボタンを押下している時間が２秒以上か否か判定する（Ｓ４０１）。「−」ボタンを押下している時間が２秒以上でないと判定された場合（Ｓ４０１のＮｏ）は、メイン動作フローＳ１００における元のフローへ戻る。一方、「−」ボタンを押下している時間が２秒以上であると判定された場合（Ｓ４０１のＹｅｓ）は、ＥＭＳ装置１の電源をオフにして終了する旨を通知する通知音（「ピー」）が、スピーカ４３により発せられる（Ｓ４０２）。そして、電源をオフにする（Ｓ４０３）。
【００８７】
以下、本例のＥＭＳ装置１の作用効果について、詳述する。
【００８８】
ＥＭＳ装置１は、肌対面部１０１（第２ケース１１２）の外表面に、一端１１３ａが肌対面部１０１の外周端縁に配置された複数の溝１１３を有している。また、延出部１２０は、厚み方向に貫通した孔１８を本体部１０の周囲に有している。そのため、ＥＭＳ装置１は、着用中に人体との間に生じる汗や湿気等を外部へ自然に排出することができる。それ故、ＥＭＳ装置１は、長時間着用した際の不快感を軽減でき、容易に長時間に亘って着用し続けることができる。また、ＥＭＳ装置１は、ＥＭＳ装置１を着用したまま日常の活動を行う、という態様で使用することができる。
【００８９】
また、延出部１２０は、２対の孔１８ａ、１８ｂを有している。これらの孔１８は、孔１８ａ同士を結んでなる仮想直線Ｌ１及び孔１８ｂ同士を結んでなる仮想直線Ｌ２が、それぞれ本体部１０から外れた位置を通過するように配置されている。そのため、ＥＭＳ装置１を屈曲させる際に本体部１０が屈曲の妨げとなりにくい。
【００９０】
また、ＥＭＳ装置１は、６個の電極３１１〜３１３、３２１〜３２３が２列に並んで配置されている。そして、孔１８は、仮想直線Ｌ１、Ｌ２が一方の電極列である右側電極群３１と他方の電極列である左側電極群３２との並び方向（左右方向Ｘ）に延びるように配置されている。それ故、仮想直線Ｌ１、Ｌ２が人体の左右方向に沿うようにしてＥＭＳ装置１を着用することにより、ＥＭＳ装置１の剥離や脱落等をより抑制することができる。
【００９１】
また、ＥＭＳ装置１は仮想直線Ｌ１が第１電極対３０１と第２電極対３０２との間を通り、仮想直線Ｌ２が第２電極対３０２と第３電極対３０３との間を通るように配置されている。それ故、ＥＭＳ装置１は、電極３１１〜３１３、３２１〜３２３の耐久性向上、体の曲げに対する追従性の向上及び電極３１１〜３１３、３２１〜３２３の位置と腹直筋４との適合性の全ての効果を奏することができる。それ故、ＥＭＳ装置１は、腹部３への着用に特に好適に用いることができる。
【００９２】
また、本例のＥＭＳ装置１では、電気刺激を形成する第１〜第５バースト波は、パルス群出力期間Ｐにおいて矩形波パルス信号Ｓ１〜Ｓ５が出力停止時間Ｎ１〜Ｎ５を挟んで複数出力される。そのため、パルス群出力期間Ｐにおいて矩形波パルス信号Ｓ１〜Ｓ５は複数に分断された状態となっている。これにより、パルス群出力期間Ｐにおいて矩形波パルス信号Ｓ１〜Ｓ５を分断なく連続して出力する場合と比べて、矩形波パルス信号Ｓ１〜Ｓ５の合計出力時間は同じとしつつ、矩形波パルス信号Ｓ１〜Ｓ５の一つ一つのパルス幅を小さくすることができる。その結果、ＥＭＳ装置１から出力されて筋肉又は筋肉に繋がる神経に流れる電気刺激は維持しつつ、使用者の痛みを軽減することができるため、ＥＭＳ装置１の使用における体感を向上させることができる。
【００９３】
また、バースト波（基本波形Ｂ１〜Ｂ５）では、パルス群出力期間Ｐが出力停止時間Ｎ１〜Ｎ５を挟んで複数の矩形波パルス信号Ｓ１〜Ｓ５が出力されて構成されているが、このパルス群出力期間Ｐと同じ期間、連続出力するパルス出力期間を有するバースト波と比べても、パルスの出力される期間Ｐとしては同じとなる。そのため、出力停止時間Ｎ１〜Ｎ５を挟んだパルス群出力期間Ｐを有するバースト波においても、出力停止時間を挟まないパルス出力期間を有するバースト波に近い体感が得られることとなる。
【００９４】
また、パルス群出力期間Ｐにおいて矩形波パルス信号Ｓ１〜Ｓ５は、出力停止時間Ｎ１〜Ｎ５を挟んで複数出力されているため、パルス群出力期間Ｐの継続時間は、複数の矩形波パルス信号Ｓ１〜Ｓ５のパルス幅とすべての出力停止時間Ｎ１〜Ｎ５とを合わせたものとなっている。そのため、かかるパルス群出力期間Ｐの継続時間中、矩形波パルス信号Ｓ１〜Ｓ５を分断なく出力し続ける場合に比べて、パルス群出力期間Ｐの継続時間は同じとしつつ、出力停止時間Ｎ１〜Ｎ５の分だけ実際のパルス信号出力時間が短くなることから、消費電力を低減することができる。そのため、低容量の電源によっても駆動させることができるため、装置の小型化に寄与する。
【００９５】
また、電気刺激を形成するバースト波は、パルス群出力期間Ｐとパルス群出力中断期間Ｒ１〜Ｒ５とからなり、パルス群出力中断期間Ｒ１〜Ｒ５の継続時間は、パルス群出力期間Ｐにおける出力停止時間Ｎ１〜Ｎ５よりも長くなっている。バースト波にこのようなパルス群出力中断期間Ｒ１〜Ｒ５が備えられているため、パルス群出力期間Ｐを変更することなく、パルス群出力中断期間Ｒ１〜Ｒ５の継続時間を所定の長さに変更するだけで、バースト波の周波数を容易に所望の値に設定することができる。これにより、筋肉を収縮・弛緩させるのに適した周波数を有するバースト波からなる電気刺激を出力するように制御することが容易となり、かつ効率的に筋肉を刺激することができる。
【００９６】
本例では、パルス群出力期間Ｐには、互いに極性が異なる矩形波パルス信号Ｓ１〜Ｓ５が含まれている。これにより、一つのバースト波（基本波形Ｂ１〜Ｂ５）内において、電荷の偏りを解消しやすいため、使用者の痛みを一層軽減することができる。その結果、ＥＭＳ装置１の使用における体感と使いやすさをより一層向上することができる。
【００９７】
さらに、本例のように、第１のバースト波における第１のパルス群出力期間Ｐにおいて出力される５個の矩形波パルス信号Ｓ１〜Ｓ５が「正、負、正、負、正」の順に出力されている場合には、第１のバースト波の次に到来する第２のバースト波における第２のパルス群出力期間において出力される５個の矩形波パルス信号を「負、正、負、正、負」の順に出力するようにすることができる。この場合には、第１のバースト波において生じた電荷の偏りを、第２のバースト波によって確実に解消することができるため、使用者の痛みを一層軽減することができる。さらに、上記第２のパルス群出力期間は、上記第１のパルス群出力期間Ｐにおいて出力される複数の矩形波パルス信号Ｓ１〜Ｓ５の極性を逆相にする（電位を反転させる）だけでよいため、各パルス群出力期間における個々の矩形波パルス信号の極性を個別に制御する場合に比べて、制御負荷を軽減することができる。
【００９８】
なお、本例では、同一のパルス群出力期間Ｐに互いに極性が異なる矩形波パルス信号Ｓ１、Ｓ３、Ｓ５と矩形波パルス信号Ｓ２，Ｓ４とが含まれるようにしたが、これに替えて、次のようにしてもよい。第１のバースト波の第１のパルス群出力期間Ｐにおけるすべての矩形波パルス信号Ｓ１〜Ｓ５の極性を正とし、第１のバースト波の次にパルス群出力中断期間Ｒ１〜Ｒ５を挟んで到来する第２のバースト波の第２のパルス群出力期間におけるすべての矩形波パルス信号の極性を負とし、第１のバースト波と第２のバースト波とを繰り返すようにしてもよい。この場合には、個々のパルス群出力期間については、矩形波パルス信号の極性は同一であるが、繰り返し出力されるバースト波全体において、互いに極性の異なる矩形波パルス信号が含まれていることとなる。この場合においても、第１のバースト波において生じた電荷の偏りを、第２のバースト波によって確実に解消することができるため、使用者の痛みを一層軽減することができる。
【００９９】
本例では、パルス群出力中断期間Ｒ１〜Ｒ５の継続時間は、パルス群出力期間Ｐの継続時間（１ｍｓ）よりも長くなっている。これにより、パルス群出力中断期間Ｒ１〜Ｒ５によって、バースト波において繰り返し出力されるパルス群出力期間Ｐの間隔が十分確保されることとなるため、使用者に、パルス群出力期間Ｐにおける複数の矩形波パルス信号Ｓ１〜Ｓ５を一つの電気刺激として認識させやすくなる。その結果、高周波（本例では、周波数５，０００Ｈｚ）の矩形波パルス信号Ｓ１〜Ｓ５から、低周波（本例では２〜２０Ｈｚ）のバースト波を容易に出力させることができ、筋肉を刺激するのに適した電気刺激を出力することができる。
【０１００】
本例では、パルス群出力期間Ｐの継続時間は同一であるとともにパルス群出力中断期間Ｒ１〜Ｒ５の継続時間が異なることにより互いに異なる周波数を有する複数のバースト波パターン（基本波形Ｂ１〜Ｂ５）が予め記憶されたバースト波パターン記憶部（出力モード記憶部４０５ａ）と、バースト波パターン記憶部（出力モード記憶部４０５ａ）に記憶された複数のバースト波パターン（基本波形Ｂ１〜Ｂ５）からいずれかを選択することにより、電気刺激におけるバースト波の周波数を設定する周波数設定部（出力モード切替部４０５）とを有する。これにより、バースト波パターン記憶部（出力モード記憶部４０５ａ）に予め所定の周波数のバースト波パターン（基本波形Ｂ１〜Ｂ５）が複数記憶されているため、バースト波の周波数を変更する際には、周波数設定部（出力モード切替部４０５）がバースト波パターン記憶部（出力モード記憶部４０５ａ）に記憶されたバースト波パターンから所定のものを選択するだけでよく、バースト波の周波数の変更が容易となる。これにより、筋肉を効率的に刺激するのに適したＥＭＳ装置１となる。
【０１０１】
また、本例では、バースト波における矩形波パルス信号Ｓ１〜Ｓ５のパルス幅及び出力停止時間Ｎ１〜Ｎ５が一定である。これにより、バースト波の周波数に基づいて、筋肉に付与される電気刺激を変更しやすくなっている。そのため、バースト波の周波数による電気刺激の調整が容易となり、筋肉を効果的に刺激するのに適した電気刺激を出力することが容易となる。
【０１０２】
また、本例では、本体部１０と、電気刺激を出力する複数の電極部３０と、電極部３０に電力を供給する電源部２０と、電源部２０における電力給電を制御する制御部４０と、制御部４０の制御態様を変更可能に構成された操作部５０と、からなり、電源部２０が本体部１０に内蔵されている。これにより、電極部３０に供給される電力を外部に用意する必要がないため、電源の確保が困難な屋外や、外出先などでも容易に使用することができる。また、電源と接続するためのコード等が不要になるため、使い勝手が向上されるとともに、携帯性にも優れる。
【０１０３】
また、本例では、電極部３０は、本体部１０から延設されたシート状の基材３３に、複数の電極３１１〜３１３、３２１〜３２３と、電極３１１〜３１３、３２１〜３２３と電源部２０とを制御部４０を介して電気的に接続するリード部３１１ａ〜３１３ａ、３２１ａ〜３２３ａとが形成されてなる。これにより、本体部１０から延設されたシート状の基材３３に、電極部３０が形成されていることとなり、本体部１０と電極部３０とを一体化できる。そのため、本体部１０と電極部３０とを接続するためのコード等が不要となり、使い勝手が向上するとともに、携帯性にも優れる。
【０１０４】
また、本例では、電源部２０には、交換可能な電池２１が備えられている。これにより、電池２１を交換するだけで電力の補充をすることができるため、電池容量以上に長時間使用することが容易となる。これにより、過度に大容量の電源を内蔵させる必要がないため、装置を小型化することができる。
【０１０５】
また、本例では、電池２１はコイン電池である。これにより、電池２１が小型となるため、ＥＭＳ装置１の小型化に寄与する。そして、ＥＭＳ装置１の小型化に伴って軽量化を図ることができるため、電極部３０が使用者の体から剥離、脱落しにくくなり、使い勝手が向上するとともに、携帯性も向上する。さらに、電池２１は薄型でもあるため、ＥＭＳ装置１の薄型化にも寄与する。そして、ＥＭＳ装置１が薄型となることにより、使用者は、ＥＭＳ装置１を取り付けたまま、その上から衣服を着用することが可能となる。そのため、ＥＭＳ装置１を通勤中や通学中、家事や仕事等の作業中、その他様々な状況で使用することができる。また、コイン電池は、他の乾電池等に比べて、高い作動電圧で安定した放電特性を有するため、比較的長時間にわたってＥＭＳ装置１を安定して動作させることができる。
【０１０６】
なお、電源部２０には、コイン電池に代えてボタン電池等の小型の電池を採用することも可能である。また、コイン電池等の一次電池に替えて充電可能な二次電池が内蔵されていてもよい。かかる電池の充電手段として、外部電源と接続可能な給電用の端子を備えていてもよいし、電磁誘導を使用した非接触型の給電部を備えていてもよい。この場合には、当該電池を繰り返し使用できるため、非充電型の電池を使用する場合に比べて、消耗品を削減できる。
【０１０７】
また、電池２１として公称電圧が３．０〜５．０Ｖのものを採用することができ、本例では、３．０Ｖの電池２１を採用している。ＥＭＳ装置１に備えられる電子部品４２、スピーカ４３等の駆動電圧を一致していることから、これらの電子部品４２、４３の駆動のために降圧回路や昇圧回路を別途備える必要がない。これにより、小型化に寄与できる。
【０１０８】
また、本例では、電極部３０は、３個以上の電極３１１〜３１３、３２１〜３２３を有する。上述の如く、パルス群出力期間Ｐに出力停止時間Ｎ１〜Ｎ５を含まれていることにより消費電力が低減されているため、３個以上の電極３１１〜３１３、３２１〜３２３を備えた本構成においても、充分な電気刺激を付与することができる。これにより、広い範囲の筋肉に電気刺激を付与することができるため、筋肉を効率的に刺激することができる。
【０１０９】
なお、本例では、電極部３０が形成される基材３３は、本体部１０から延設されるとともに、外殻形成体１２から延設された電極支持部１２１が接着されることにより、電極部３０と本体部１０とが一体的に形成されることとした。これに替えて、基材３３と本体部１０とを別体とするとともに、電極支持部１２１と外殻形成体１２とを別体として形成することにより、本体部１０と電極部３０と非使用時において互いに分離可能なように構成してもよい。この場合には、電極部３０を本体部１０から分離して、他の形態の電極部と交換することができる。また、電極部３０は電子部品を有さないため、分離することにより、電極部３０を容易に洗浄することができる。
【０１１０】
以上のごとく、本例によれば、使用したときの体感が向上されるとともに、効率的に筋肉を刺激することができるＥＭＳ装置１を提供することができる。
【０１１１】
本例では、第２出力モード（トレーニングモード）は、上述の表２に示す第１ステータス〜第４ステータスに基づいて実行した。これに替えて、次に示す変形例１のように、本例と同等の第１ステータス〜第４ステータスにおいて、第２ステータスと第３ステータスの間に、表４に示す第２ａステータスを実行し、第３ステータスと第４ステータスとの間に、表４に示す第３ａステータスを実行することとしてもよい。
【表４】
2016202796.tif 000006
【０１１２】
変形例１では、表４に示すように、第２ａステータス及びは第３ａステータスは以下の通り行う。
（２ａ）第２ａステータスでは、第２バースト波（４Ｈｚ）で１０秒間、１００％の出力を行った後、第３バースト波（８Ｈｚ）で１０秒間、１００％の出力を行い、さらにその後、第４バースト波（１６Ｈｚ）で１０秒間、１００％の出力を行う。
（３ａ）第３ａステータスでは、第２バースト波（４Ｈｚ）で１０秒間、１００％の出力を行った後、第３バースト波（８Ｈｚ）で１０秒間、１００％の出力を行い、さらにその後、第４バースト波（１６Ｈｚ）で１０秒間、１００％の出力を行う。
なお、当該変形例１では、本例の第２出力モード（表２参照）に比べて第２ａステータス及び第３ａステータスが追加されているため、表４に示す第１出力モード（ウォームアップモード）、第２出力モード（トレーニングモード）及び第３出力モード（クールダウンモード）を連続して行った場合の合計時間は２３分間となる。
【０１１３】
第２ａステータスでは、バースト波の周波数が４Ｈｚから１６Ｈｚへ段階的に高くなるように構成されているため、第２ａステータスから第３ステータスへ切り替え時の周波数変化が滑らかとなる。同様に、第３ａステータスから第４ステータスへ切り替え時の周波数変化が滑らかとなる。そして、当該変形例１では、実施例１の場合に対して、第２ａステータス及び第３ａステータスが加わることにより、第２出力モード（トレーニングモード）における電気刺激のパターンが大きく変化することとなる。その結果、使用者における当該電気刺激への慣れによる体感の低下を防止することができ、より効果的に腹直筋を刺激することができる。また、第２ａステータス・第３ａステータスを設けることもより、電気刺激の付与によって疲労した筋肉における疲労物質を押し流す効果も奏する。なお、第２出力モード（トレーニングモード）をこのように設定した当該変形例１において、実施例１と同等の作用効果も奏する。
【０１１４】
なお、実施例１では、バースト波の周波数を変更する際には、周波数設定部（出力モード切替部４０５）がバースト波パターン記憶部（出力モード記憶部４０５ａ）に記憶されたバースト波パターンから所定のものを選択するようにしている。これに替えて、次の変形例２のようにすることもできる。変形例２では、図１６に示すように、バースト波の周波数を選択する周波数選択部としての操作面５４ａと、中断期間継続時間算出部４０５ｂと、中断期間継続時間設定部４０５ｃと、を有する。
そして、中断期間継続時間算出部４０５ｂは、周波数選択部（操作面５４ａ）により選択された周波数に基づいてパルス群出力中断期間の継続時間を算出する。
中断期間継続時間設定部４０５ｃは、中断期間継続時間算出部４０５ｂによって算出された上記継続時間に基づいて上記パルス群出力中断期間の継続時間を設定する。
なお、変形例２において実施例１と同等の構成要素には同一の符号を付してその説明を省略する。
【０１１５】
かかる変形例２によれば、周波数選択部（操作面５４ａ）によってバースト波の周波数を所望の周波数に設定することができるため、使用者の好み（収縮の強度・収縮と弛緩の間隔）に基づいて、バースト波の周波数を適宜設定することにより、使用者ごとに、一層効率的に筋肉を刺激することができるＥＭＳ装置１となる。なお、当該変形例２においても、バースト波の周波数の変更態様に関する作用効果を除いて、実施例１と同等の作用効果を奏する。
【０１１６】
また、溝１１３の形状、数及び位置は、実施例１の態様に限定されることはなく、種々の態様に変更することができる。例えば、図１７に示す変形例３のように、溝１１３はらせん状に湾曲した形状を有していてもよい。また、図１８に示す変形例４のように、溝１１３は、肌対面部１０１の外周端縁に両端１１３ａ、１１３ｂが配置され、平面視において略Ｕ字状を呈する形状を有していてもよい。溝１１３の形状、太さ及び本数は、上述した実施例及び変形例に限定されることは無く、種々の態様に変更することができる。
【０１１７】
また、図には示さないが、孔１８の形状、数及び位置も、実施例１の態様に限定されることはなく、種々の態様に変更することができる。例えば、実施例１における孔１８は略長円状を呈しているが、孔１８の形状を円状にしてもよい。
【０１１８】
また、実施例１には、背面視における肌対面部１０１の形状が円形であるＥＭＳ装置１の例を示したが、これに替えて次の変形例５のようにすることもできる。図１９に示すように、変形例５のＥＭＳ装置１ｅは、本体部１０ｅと、本体部１０ｅから外方に延出した延出部１２０ｅとを有している。延出部１２０ｅの一方の面には、８個の電極３１１〜３１４、３２１〜３２４が２列に並んで配置されている。これらの電極３１１〜３１４、３２１〜３２４は、身長方向Ｙに並んだ４対の電極対３０１〜３０４を構成している。本例においては、便宜上、４対の電極対３０１〜３０４のうち最も上側Ｙ１の電極対を第１電極対３０１といい、第１電極対３０１から下側Ｙ２へ向かうにつれて、順に第２電極対３０２、第３電極対３０３及び第４電極対３０４という。
【０１１９】
本体部１０ｅは、背面視において略楕円形を呈する肌対面部１０１ｅを有している。肌対面部１０１ｅは、実施例１と同様に第２ケース１１２及び蓋１５である。肌対面部１０１における蓋１５よりも外側には、複数の溝１１３が配置されている。
【０１２０】
また、本体部１０ｅの周囲には、２対の孔１８（１８ａ、１８ｂ）が配置されている。孔１８のうち上側Ｙ１に配置された一対の孔１８ａは、これらを結んでなる仮想直線Ｌ１が本体部１０ｅよりも上側Ｙ１を通過するように配置されている。また、一対の孔１８ａは、仮想直線Ｌ１が、第２電極対３０２における上側Ｙ１の端縁近傍を通過するように配置されている。
【０１２１】
下側Ｙ２に配置された一対の孔１８ｂは、これらを結んでなる仮想直線Ｌ２が本体部１０ｅよりも下側Ｙ２を通過するように配置されている。また、一対の孔１８ｂは、仮想直線Ｌ２が、第３電極対３０３における下側Ｙ２の端縁近傍を通過するように配置されている。
【０１２２】
その他は実施例１と同様である。なお、図１９において用いた符号のうち実施例１と同一のものは、特に説明のない限り実施例１と同様の構成要素等を示す。
【０１２３】
変形例５は、実施例１と同様に、孔１８及び溝１１３を有しているため、長時間着用した際の不快感を軽減でき、容易に長時間に亘って着用し続けることができる。また、変形例５のＥＭＳ装置１ｅは、実施例１と同様に、腹部への着用に特に好適に用いることができる。
【符号の説明】
【０１２４】
１、１ｅ  筋肉電気刺激装置
１０、１０ｅ  本体部
１０ａ  中心線
１０１、１０１ｅ  肌対面部
１１３  溝
１２０  延出部
１８  孔
２０  電源部
３０  電極部
３１  右側電極群
３２  左側電極群
３１１〜３１４、３２１〜３２４  電極
３３  基材
３５  ゲルパッド
３０１  第１電極対
３０２  第２電極対
３０３  第３電極対
４０  制御部
５０  操作部
【図１】
2016202796.tif 000007
【図２】
2016202796.tif 000008
【図３】
2016202796.tif 000009
【図４】
2016202796.tif 000010
【図５】
2016202796.tif 000011
【図６】
2016202796.tif 000012
【図７】
2016202796.tif 000013
【図８】
2016202796.tif 000014
【図９】
2016202796.tif 000015
【図１０】
2016202796.tif 000016
【図１１】
2016202796.tif 000017
【図１２】
2016202796.tif 000018
【図１３】
2016202796.tif 000019
【図１４】
2016202796.tif 000020
【図１５】
2016202796.tif 000021
【図１６】
2016202796.tif 000022
【図１７】
2016202796.tif 000023
【図１８】
2016202796.tif 000024
【図１９】
2016202796.tif 000025